(57)【要約】【課題】金網の線材を傷つけることなく、金網を強固に保持することができる金網支持金具を提供する。【解決手段】支持部１１と受け部１２とからなり、受け部１２は側面視Ｕ字型であり、その側面視中央に押圧片１３が設けられており、受け部１２の正面側の壁には、螺子孔１４が設けられている金網支持金具１０である。金網４０の線材４１を受け部１２の背面と押圧片１３との間に落とし込んだ後、螺子孔１４から螺子２０をねじ込むと、螺子２０の先端が押圧片１３を後方に倒し、押圧片１３が線材４１を挟み込むので、金網４０を取り付けることができる。押圧片１３は線材４１に対して斜め下向きの押圧力を加えることができるので、線材４１が上方に抜けることはない。螺子２０の先端で直接線材４１を挟むことがなく、線材４１を傷つけることがない。押圧片１３は面接触で線材４１を押さえるので、支持力が強く、金網４０を強固に保持することができる。【選択図】図４
2010138605.tif 000002
【特許請求の範囲】
【請求項１】
支持部と、金網の線材を保持する受け部とからなる金網支持金具であって、
前記受け部は側面視Ｕ字型であり、
前記受け部の側面視中央に、舌片状の押圧片が立ち上がるように設けられており、
前記受け部の正面側の壁には、螺子孔が設けられている
ことを特徴とする金網支持金具。
【請求項２】
前記押圧片の根元が薄肉である
ことを特徴とする請求項１記載の金網支持金具。
【請求項３】
前記支持部の正面が、該正面の下端が前方に突出するように、側面視Ｊ字型に湾曲しており、
前記支持部の正面の下端と、前記受け部の背面側の壁の上端が連続してつながっている
ことを特徴とする請求項１記載の金網支持金具。
【請求項４】
前記支持部が側面視Ｊ字型に湾曲した板状である
ことを特徴とする請求項３記載の金網支持金具。
【請求項５】
前記押圧片の高さが、前記受け部の背面側の壁の高さよりも高い
ことを特徴とする請求項１、２、３または４記載の金網支持金具。
【請求項６】
前記支持部の背面の下方に、荷重を支える足が設けられている
ことを特徴とする請求項３、４または５記載の金網支持金具。
【請求項７】
前記支持部に、締結部材挿入用の孔が設けられており、
該孔は、横に長い長孔である
ことを特徴とする請求項１、２、３、４、５または６記載の金網支持金具。
【請求項８】
前記支持部の背面の前記締結部材挿入用の孔の周囲に、薄肉の凸部が設けられている
ことを特徴とする請求項７記載の金網支持金具。
【発明の詳細な説明】
【技術分野】
【０００１】
本発明は、金網支持金具に関する。さらに詳しくは、金網の線材を傷つけることなく、金網を強固に保持することができる金網支持金具に関する。
【背景技術】
【０００２】
従来、都市部におけるヒートアイランド現象の緩和、大気中の炭酸ガスの吸収などのために建築物の壁面に植栽を施す壁面緑化が行われている。
壁面緑化の方法には、主なものとして、植物を壁面上部から下垂させる方法や植栽基盤を壁面に取り付ける方法のほか、壁面に金網やワイヤーなどの登攀補助材を配設し、その登攀補助材に蔓性植物を登攀させる方法がある。
【０００３】
金網を登攀補助材として壁面に配設する従来技術の一例として特許文献１がある。特許文献１では、図８に示すように、登攀補助材として用いる金網１０３の外周をフレーム１０２で囲み壁面緑化パネル１０８としている。そして、このような壁面緑化パネル１０８の壁面への取付には、図９に示すような金網支持金具が用いられている。
【０００４】
図９に示すように、従来技術の金網支持金具２１０は、側面視Ｊ字型の支持部２１１と側面視Ｕ字型の受け部２１２とからなり、受け部２１２は支持部２１１の下端に設けられている。支持部２１１の上端部が螺子２３０によって壁面２５０に接合されることにより、金網支持金具２１０が壁面２５０に対して固定される。金網２４０の金網支持金具２１０への取り付けは、受け部２１２に金網２４０の横向きの線材２４１を落とし込み、受け部２１２を横向きに貫く螺子２２０をねじ込むことにより行われる。螺子２２０をねじ込むことにより、螺子２２０の先端と受け部２１２の壁面とで線材２４１が挟まれ、金網２４０が金網支持金具２１０に固定される。
【０００５】
しかるに、螺子２２０の先端で線材２４１を挟むため、線材２４１が傷つき錆びやすくなるという問題がある。一般に、線材は錆び防止や色付けなどのために塗膜で覆われていることが多いが、線材２４１が螺子２２０の先端で傷つけられることによりこの塗膜が剥がれてしまうためである。
また、線材２４１には螺子２２０の先端が点接触しているだけなので、支持力が弱く、金網２４０がグラグラするという問題がある。
【０００６】
【特許文献１】特開平１０−３１３６９２号
【発明の開示】
【発明が解決しようとする課題】
【０００７】
本発明は上記事情に鑑み、金網の線材を傷つけることなく、金網を強固に保持することができる金網支持金具を提供することを目的とする。
【課題を解決するための手段】
【０００８】
第１発明の金網支持金具は、支持部と、金網の線材を保持する受け部とからなる金網支持金具であって、前記受け部は側面視Ｕ字型であり、前記受け部の側面視中央に、舌片状の押圧片が立ち上がるように設けられており、前記受け部の正面側の壁には、螺子孔が設けられていることを特徴とする。
第２発明の金網支持金具は、第１発明において、前記押圧片の根元が薄肉であることを特徴とする。
第３発明の金網支持金具は、第１発明において、前記支持部の正面が、該正面の下端が前方に突出するように、側面視Ｊ字型に湾曲しており、前記支持部の正面の下端と、前記受け部の背面側の壁の上端が連続してつながっていることを特徴とする。
第４発明の金網支持金具は、第３発明において、前記支持部が側面視Ｊ字型に湾曲した板状であることを特徴とする。
第５発明の金網支持金具は、第１、２、３または第４発明において、前記押圧片の高さが、前記受け部の背面側の壁の高さよりも高いことを特徴とする。
第６発明の金網支持金具は、第３、４または第５発明において、前記支持部の背面の下方に、荷重を支える足が設けられていることを特徴とする。
第７発明の金網支持金具は、第１、２、３、４、５または第６発明において、前記支持部に、締結部材挿入用の孔が設けられており、該孔は、横に長い長孔であることを特徴とする。
第８発明の金網支持金具は、第７発明において、前記支持部の背面の前記締結部材挿入用の孔の周囲に、薄肉の凸部が設けられていることを特徴とする。
【発明の効果】
【０００９】
第１発明によれば、金網の線材を受け部の背面と押圧片との間に落とし込んだ後、螺子孔から螺子をねじ込むと、螺子の先端が押圧片を後方に倒し、押圧片が線材を挟み込むので、金網を金網支持金具に取り付けることができる。押圧片が後方に倒れた状態では、押圧片は線材に対して斜め下向きの押圧力を加えることができるので、線材が上方に抜けることはない。また、螺子の先端で直接線材を挟むことがなく、線材を傷つけることがないため、線材が錆びやすくなることがない。さらに、押圧片は面接触で線材を押さえるので、支持力が強く、金網を強固に保持することができる。
第２発明によれば、押圧片の根元が薄肉であるので、押圧片を後方に倒す際に押圧片は根元以外の部分が撓むことなく平面に保たれるため、金網の線材を確実に面接触で押さえることができる。また、押圧片の根元が曲がりやすいため、螺子孔から螺子をねじ込み、押圧片を後方に倒す作業が容易となる。
第３発明によれば、金網の線材を支持部の正面に沿って下方に滑り下ろすことにより、受け部の背面と押圧片との間に落とし込むことができるので、金網の金網支持金具への取り付け作業が容易となる。
第４発明によれば、金網の線材を支持部に正面に沿って下方に滑り下ろすことにより、受け部の背面と押圧片との間に落とし込むことができ、金網の金網支持金具への取り付け作業が容易となるが、支持部が板状であるので、軽量であり、素材も少なくすむ。
第５発明によれば、押圧片の高さが受け部の背面側の壁の高さよりも高く、金網の線材を支持部に沿って下方に滑り下ろすときに、線材が押圧片を乗り越えることがないため、線材を確実に受け部の背面と押圧片との間に落とし込むことができ、金網の金網支持金具への取り付け作業がさらに容易となる。
第６発明によれば、荷重を支える足が設けられているので、金網の重量により支持部が撓むことがなく、金網を安定して支持することができる。
第７発明によれば、支持部に締結部材挿入用の孔が設けられているので、螺子などの締結部材をこの孔を通して壁面などに螺合することにより、金網支持金具を壁面などに固定することができる。また、締結部材挿入用の孔が横に長い長孔であるので、螺子などの締結部材をこの孔を通して壁面などに螺合する際に、壁内部の鉄筋などの取り付け不可能な場所を避けて、螺合することができる。そのため、金網支持金具の位置合わせが容易であり、金網の配設作業も容易となる。
第８発明によれば、壁面などの細かい凹凸がある場所に金網支持金具を固定する際に、金網支持金具の背面が壁面に面当りしないので、金網支持金具のガタつきを抑えることができ、金網支持金具を安定して壁面などに固定することができる。
【発明を実施するための最良の形態】
【００１０】
つぎに、本発明の実施形態を図面に基づき説明する。
図１は本発明の一実施形態に係る金網支持金具１０の平面図である。図２は同金網支持金具１０の正面図である。図３は図２におけるII‐II線矢視断面図である。本発明の金網支持金具１０は立体的形状に特徴があるので、以下各図面に基づき説明する。
【００１１】
図３に示すように、金網支持金具１０は主に支持部１１と、金網４０の線材４１を保持する受け部１２とからなる。受け部１２は側面視Ｕ字型であり、その側面視中央に舌片状の押圧片１３が立ち上がるように設けられている。押圧片１３の根元は他の部分に比べて肉薄に形成されている。図１に示すように、押圧片１３は受け部１２の両側端にかけて延び、受け部１２の正面側の壁および背面側の壁に対して平行に設けられた平板である。
図２に示すように、受け部１２の正面側の壁の左右中央には螺子孔１４が設けられている。この螺子孔１４の高さは、図３に示すように、その中心が押圧片１３の中心付近の高さと同程度となっている。なお、この螺子孔１４の内壁には雌螺子が形成されており、螺子２０をねじ込むことが可能となっている。
【００１２】
図３に示すように、支持部１１は側面視Ｊ字型に湾曲した板状であり、その下端が前方に突出するように形成されている。この支持部１１の下端と、受け部１２の背面側の壁の上端が連続してつながるように結合され一体となっている。押圧片１３の高さは、受け部１２の背面側の壁の高さよりも高く形成されている。
【００１３】
図２に示すように、支持部１１の上方には、横に長い長孔の締結部材挿入用の孔１５が設けられている。また、図３に示すように、支持部１１の背面において、孔１５の周囲に、薄肉の凸部１６が設けられている。本実施形態において凸部１６は、図２に示すように、孔１５を上下に挟む２本の線状であり、支持部１１の両側端にかけて延びて設けられている。
さらに、図３に示すように、支持部１１の背面の下方には、足１７が設けられている。足１７は、支持部１１の湾曲した部分と結合し、斜め下方向に延びて前記凸部１６と同程度の位置まで達する。本実施形態において足１７は、図２に示すように、支持部１１の両側端にかけて延びて設けられている平板である。
【００１４】
図１に示すように、本実施形態では支持部１１に比べ受け部１２の幅寸法を短くしている。これは、後述のとおり金網支持金具１０を壁面５０などに固定した際に、支持部１１は壁面５０に接し安定度を高める必要があるため幅広の方がよいのに対して、受け部１２は金網４０の線材４１を挟み込むため、金網４０のメッシュ間隔より細くなければならないという制約があるからである。しかし、受け部１２の幅寸法が短すぎると金網４０の保持力が低下するため、ある程度の幅は必要である。そのため、支持部１１および受け部１２の幅寸法は施工の状況に合わせて選択すればよい。
【００１５】
また、本実施形態において支持部１１は側面視Ｊ字型に湾曲した板状としその背面に足を設けたが、これをブロック体としその正面を側面視Ｊ字型に形成した実施形態としてもよい。つまり、支持部１１の正面が側面視Ｊ字型に湾曲していればよいので、他の形状は製造の容易さなどを勘案し設計すればよい。
【００１６】
なお、金網支持金具１０の素材、製法は特に限定はないが、例えば、アルミの押出成形で形成される。
【００１７】
つぎに、本発明の金網支持金具１０への金網４０の取り付け方法を説明する。
図５は金網支持金具１０で金網４０を支持している状態であり、図４は、本実施形態の金網支持金具１０に金網４０を取り付ける要領の説明図である。
図４に示すように、まず、金網４０の線材４１を支持部１１の正面にあてがい、支持部１１に沿って下方に滑り下ろす。そうすると線材４１は支持部１１の湾曲した表面に沿って支持部１１の下端まで導かれ、受け部１２に到達する。受け部１２に到達した線材４１は、押圧片１３にぶつかり、そのまま受け部１２の背面と押圧片１３との間に落とし込まれる。その後、螺子孔１４から螺子２０をねじ込み、螺子２０の先端で押圧片１３を後方に倒す。押圧片１３を完全に倒すと、押圧片１３と受け部１２とで線材４１を挟み込み固定できるので、これにより金網４０を金網支持金具１０に取り付けることができる。
【００１８】
押圧片１３はアルミなどで形成されるため、わずかに倒れる程度の変形性があるが、常に螺子２０に押さえられているため元の位置に戻ることはない。そのため押圧片１３が後方に倒れた状態では、押圧片１３は線材４１に対して斜め下向きの押圧力を常に加えることができるので、線材４１に上向きの外力が加わったとしても上方に抜けることはない。
また、螺子２０の先端で直接線材４１を挟むことがなく、線材４１に施された塗膜を傷つけ剥がすことがないため、線材４１が錆びやすくなることがない。
さらに、押圧片１３は面接触で線材４１を押さえるので、螺子２０の先端で直接線材４１を挟んだ場合に比べ支持力が強く、金網４０を強固に保持することができる。
【００１９】
なお、押圧片１３の根元が肉薄になっていることにより、押圧片１３が螺子２０に押さえられても根元部分のみが曲がり、根元以外の部分が撓むことなく平面に保たれる。そのため線材４１を確実に面接触で押さえることができる。
また、押圧片１３の根元が肉薄になっていることにより、押圧片１３の根元が曲がりやすいため、螺子２０をねじ込み、押圧片１３を後方に倒す作業が容易となるという効果もある。
【００２０】
上述のとおり、金網４０の線材４１を受け部１２に配置するためには、線材４１を支持部１１にあてがい、支持部１１に沿って下方に滑り下ろすだけでよいため、作業が非常に容易である。
これは、金網支持金具１０が、湾曲した支持部１１の下端と受け部１２の背面側の壁の上端が連続してつながるように結合されており、さらに押圧片１３の高さが、受け部１２の背面側の壁の高さよりも高いという形状を有しているからである。
【００２１】
つぎに、本発明の金網支持金具１０の壁面５０への固定方法および金網４０の配設方法を説明する。
本発明は、金網４０を取り付ける受け部１２に主な技術的特徴があるため、先に金網支持金具１０への金網４０の取り付け方法を説明したが、通常の施工の際には、金網支持金具１０の壁面５０への固定の後、金網４０を金網支持金具１０へ取り付ける。
【００２２】
図４に示すように、金網支持金具１０の壁面５０への固定は、締結部材挿入用の孔１５に、螺子３０などの締結部材を通して壁面５０に螺合することにより行われる。固定した金網支持金具１０に上述のとおり金網４０を取り付けることにより、金網４０を壁面５０に配設することができる。もちろん、金網支持金具１０と壁面５０との締結部材は螺子３０に限られるものではなく、コンクリート釘など壁面５０の材質によって適当なものを選択すればよい。
【００２３】
また、孔１５が横に長い長孔であるので、孔１５に挿入する螺子３０は長孔の任意の位置で壁面５０に螺合することができるため、壁内部の鉄筋などの取り付け不可能な場所を避けて、螺合することができる。そのため、金網支持金具１０の位置合わせが容易であり、金網４０の配設作業も容易となる。
【００２４】
また、壁面５０に細かい凹凸がある場合に、金具を取り付けるとがたつきや傾きの原因となるが、薄肉の凸部１６が設けられていることにより、螺子３０の締め付けによって固定する際に、金網支持金具１０の背面の凸部１６が壁面５０に面当りしないので、金網支持金具１０のガタつきを抑えることができ、金網支持金具１０を安定して壁面５０などに固定することができる。
【００２５】
さらに、足１７が設けられていることにより、足１７の先端も壁面５０に接するので、支持部１１の前方に突出した部分を支えることができる。このため、金網４０の重量により支持部１１が撓むことがなく、金網４０を安定して支持することができる。
【００２６】
金網支持金具１０は、上述のとおり直接壁面５０に固定することもできるが、柱６０などにも取り付けることができる。
図５は柱６０に金網支持金具１０を固定し金網４０を配設した実施形態の部分拡大正面図である。図６は同実施形態の部分拡大側面図である。図７は同実施形態の平面図である。
図５から図６に示すように、壁面５０に設置された柱６０に金網支持金具１０を螺子３０で固定し、固定した金網支持金具１０に金網４０を取り付けることにより、金網４０を配設することができる。
【００２７】
つぎに、本発明の他の実施形態を説明する。
本発明の金網支持金具１０は、壁面緑化パネルの施工用に限られるものではなく、金網４０を支持する目的のためであれば何に用いてもよい。
【図面の簡単な説明】
【００２８】
【図１】本発明の一実施形態に係る金網支持金具の平面図である。
【図２】同金網支持金具の正面図である。
【図３】図２におけるII‐II線矢視断面図である。
【図４】金網支持金具１０に金網４０を取り付ける要領の説明図である。
【図５】柱に金網支持金具を固定し金網を配設した実施形態の部分拡大正面図である。
【図６】同実施形態の部分拡大側面図である。
【図７】同実施形態の部分拡大平面図である。
【図８】特許文献１の壁面緑化方法の説明図である。
【図９】従来技術の金網支持金具の外観図である。
【符号の説明】
【００２９】
１０    金網支持金具
１１    支持部
１２    受け部
１３    押圧片
１４    螺子孔
１５    締結部材挿入用の孔
１６    凸部
１７    足
２０    螺子
３０    螺子
４０    金網
４１    線材
５０    壁面
６０    柱
【図１】
2010138605.tif 000003
【図２】
2010138605.tif 000004
【図３】
2010138605.tif 000005
【図４】
2010138605.tif 000006
【図５】
2010138605.tif 000007
【図６】
2010138605.tif 000008
【図７】
2010138605.tif 000009
【図８】
2010138605.tif 000010
【図９】
2010138605.tif 000011